(57)【要約】【課題】視覚的な圧迫感を低減できるとともに、水栓周りでの作業を妨げにくく、カートリッジ交換を容易かつ確実に行え、さらに製造コストの低減を図ることのできる浄水器を提供する。【解決手段】カートリッジの外面に係合ブロック２１を突設する。浄水器本体１２に、係合ブロック２１を水平方向に案内するガイド壁２０Ａ，２０Ｂを設ける。ガイド壁の一端側に、正面からの係合ブロック２１の挿入離脱を許容する挿入部２２を設け、他端側に、係合ブロック２１の抜けを規制する規制爪２３を設ける。係合ブロック２１が他端側に変位したときに、カートリッジの流入口と浄水器本体１２の導出口１８が合致するように設定する。浄水器本体１２には、ガイド壁２０Ａ，２０Ｂの周域を覆い先端部がカートリッジの外周面に近接して対峙する環状のカバー壁２８を設ける。【選択図】図２
2011115673.tif 000002
【特許請求の範囲】
【請求項１】
水栓の蛇口に取付けられる蛇口接続部と、前記蛇口から取り入れた原水の流路を切換える流路切換機構と、この流路切換機構が浄水モードに切換えられたときに前記原水を導出させる導出口と、を有する浄水器本体と、
濾材を収容した略筒状のケースに前記原水の流入口が設けられ、この流入口を前記導出口と合致させるように前記浄水器本体に脱着可能に取付けられるカートリッジと、
を備えた浄水器において、
前記カートリッジの外面に係合ブロックが突設され、
前記浄水器本体に、前記係合ブロックを摺動自在に案内することによって、前記カートリッジを、長手方向を水平にして変位させ得るガイド壁が設けられ、
前記ガイド壁の長手方向の一端側には、正面からの前記係合ブロックの挿入離脱を許容する挿入部が設けられ、長手方向の他端側には、前記係合ブロックの正面側への抜けを規制する係止爪が設けられ、前記係合ブロックが前記ガイド壁の長手方向の他端側に位置されているときに、前記カートリッジの流入口と前記浄水器本体の導入口とが合致するように設定され、
さらに、前記浄水器本体には、前記ガイド壁の周域を覆い先端部が前記カートリッジの外周面に近接して対峙する環状のカバー壁が設けられていることを特徴とする浄水器。
【請求項２】
前記カートリッジの係合ブロックと前記浄水器本体の間には、前記浄水器本体の導出口と前記カートリッジの流入口とが合致する位置で、相互に嵌合される係止突部と係合穴が設けられ、前記係止突部が付勢手段によって突出方向に付勢されていることを特徴とする請求項１に記載の浄水器。
【請求項３】
前記係止突部が前記浄水器本体に設けられるとともに、前記係合穴が前記カートリッジの係合ブロックに設けられ、前記係合ブロックには、前記ガイド壁に案内されての装着操作時に、前記係止突部を徐々に押し下げるテーパ面が設けられていることを特徴とする請求項２に記載の浄水器。
【発明の詳細な説明】
【技術分野】
【０００１】
この発明は、浄水器に関するものであり、特に水栓の蛇口に取り付けるタイプの浄水器に係るものである。
【背景技術】
【０００２】
従来、水栓の蛇口に直接取り付けるタイプの浄水器、いわゆる蛇口直結タイプの浄水器が知られている。蛇口直結タイプの浄水器としては、特許文献１、２に示すように、蛇口に取り付けられる浄水器本体と、ケース内に濾材を収容したカートリッジとがバヨネット機構で接続された浄水器が知られている。
【０００３】
近年、蛇口直結タイプの浄水器には、視覚的に圧迫感がなく、かつ水栓周りでの作業を妨げにくい形状が求められている。また、蛇口直結タイプの浄水器には、カートリッジの交換がより容易かつ確実であることが求められている。
【先行技術文献】
【特許文献】
【０００４】
【特許文献１】特許第３３８１３９５号公報
【特許文献２】特許第３３０３４９９号公報
【発明の概要】
【発明が解決しようとする課題】
【０００５】
しかしながら、特許文献１、２の浄水器では、カートリッジが、その長手方向を鉛直にして浄水器本体に接続されているため、視覚的に圧迫感があるだけでなく、蛇口を操作する際などに、手がカートリッジに接触しやすく、水栓周りでの作業の妨げになることがあった。
【０００６】
また、特許文献１、２の浄水器では、カートリッジと浄水器本体との接続の際に、浄水器本体に対してカートリッジの傾きを合わせるのに時間がかかるだけでなく、カートリッジの回転方向を間違えるとカートリッジを確実に着脱できず、さらにカートリッジを回転するためのスペースが浄水器本体周りに必要であり、カートリッジ交換に手間取ることが多かった。さらに、特許文献１、２の浄水器では、バヨネット機構による接続のため、接続部分の構造が複雑で、部品点数が多くなりやすく、浄水器の製造コストがかかりやすいという問題があった。
【０００７】
そこでこの発明は、視覚的な圧迫感を低減できるとともに、水栓周りでの作業を妨げにくく、カートリッジ交換を容易かつ確実に行え、さらに製造コストの低減を図ることのできる浄水器を提供しようとするものである。
【課題を解決するための手段】
【０００８】
上記の課題を解決する請求項１に記載の発明は、水栓の蛇口に取付けられる蛇口接続部と、前記蛇口から取り入れた原水の流路を切換える流路切換機構と、この流路切換機構が浄水モードに切換えられたときに前記原水を導出させる導出口と、を有する浄水器本体と、濾材を収容した略筒状のケースに前記原水の流入口が設けられ、この流入口を前記導出口と合致させるように前記浄水器本体に脱着可能に取付けられるカートリッジと、を備えた浄水器において、前記カートリッジの外面に係合ブロックが突設され、前記浄水器本体に、前記係合ブロックを摺動自在に案内することによって、前記カートリッジを、長手方向を水平にして変位させ得るガイド壁が設けられ、前記ガイド壁の長手方向の一端側には、正面からの前記係合ブロックの挿入離脱を許容する挿入部が設けられ、長手方向の他端側には、前記係合ブロックの正面側への抜けを規制する係止爪が設けられ、前記係合ブロックが前記ガイド壁の長手方向の他端側に位置されているときに、前記カートリッジの流入口と前記浄水器本体の導入口とが合致するように設定され、さらに、前記浄水器本体には、前記ガイド壁の周域を覆い先端部が前記カートリッジの外周面に近接して対峙する環状のカバー壁が設けられていることを特徴とする。
これにより、カートリッジは浄水器本体に対して水平に取り付けられるようになる。また、カートリッジを浄水器本体に取り付ける場合には、まず、カートリッジの係合ブロックを正面からカバー壁内に挿入し、さらに係合ブロックをガイド壁の一端側の挿入部に挿入する。次に、この状態からカートリッジをガイド壁に沿わせて水平方向に変位させ、係合ブロックをガイド壁の他端側の係止爪部分まで移動させる。こうして、係合ブロックが係止爪部分まで移動すると、係止爪によってカートリッジの正面方向の抜けが規制されるとともに、カートリッジの流入口が浄水器本体の導出口と合致するようになる。
【０００９】
請求項２に記載の発明は、請求項１に記載の浄水器において、前記カートリッジの係合ブロックと前記浄水器本体の間には、前記浄水器本体の導出口と前記カートリッジの流入口とが合致する位置で、相互に嵌合される係止突部と係合穴が設けられ、前記係止突部が付勢手段によって突出方向に付勢されていることを特徴とする。
これにより、カートリッジの取付時に、カートリッジをガイド壁に沿わせて水平方向に変位させてゆくと、付勢手段によって付勢された係止突部が係合穴に嵌合され、その結果、カートリッジが浄水器本体に係止されるとともに、その係止の結果が節度感をもって作業者に把握されるようになる。
【００１０】
請求項３に記載の発明は、請求項２に記載の浄水器において、前記係止突部が前記浄水器本体に設けられるとともに、前記係合穴が前記カートリッジの係合ブロックに設けられ、前記係合ブロックには、前記ガイド壁に案内されての装着操作時に、前記係止突部を徐々に押し下げるテーパ面が設けられていることを特徴とする。
これにより、カートリッジの取付時に、カートリッジをガイド壁に沿わせて水平方向に変位させてゆくと、係止突部がテーパ面と当接し付勢手段の力に抗して徐々に押し下げられ、係合穴と対峙したところで勢い良く係合穴に嵌合される。この結果、カートリッジのスムーズなスライド変位と、より確実な節度感が得られるようになる。
【発明の効果】
【００１１】
この発明によれば、カートリッジが軸方向を水平に向けて配置されることから、視覚的な圧迫感を低減できるとともに、水栓周りでの作業を妨げにくくなり、しかも、カートリッジの水平方向のスライド変位によってカートリッジの脱着が可能であることから、カートリッジの交換作業を容易かつ確実に、スペースを占有することなく行える。さらに、接続部の構造が簡素であることから、製造コストの低減も図ることができる。
【００１２】
また、この発明においては、カートリッジと浄水器本体の接続部の周域が、浄水器本体側に設けられた環状のカバー壁によって覆われ、そのカバー壁の先端部がカートリッジの外周面に近接して対峙するため、カバー壁によって接続部の周囲の密閉性の維持と外観の向上を図りつつ、一つの浄水器本体をケースのサイズや仕様の異なるカートリッジに容易に適合させることができる。
【００１３】
また、カートリッジの係合ブロックと浄水器本体の間に、浄水器本体の導出口とカートリッジの流入口とが合致する位置で相互に嵌合される係止突部と係合穴を設け、係止突部を付勢手段によって突出方向に付勢した場合には、カートリッジのスムーズなスライド変位と、より確実な節度間を得ることができる。
【図面の簡単な説明】
【００１４】
【図１】この発明の一実施形態の浄水器の斜視図である。
【図２】この発明の一実施形態の浄水器の浄水器本体の斜視図である。
【図３】この発明の一実施形態の浄水器の浄水器本体の部分断面側面図である。
【図４】この発明の一実施形態の浄水器の浄水器本体の正面図（取り付け状態では左側面図）である。
【図５】この発明の一実施形態の浄水器のカートリッジの正面図（取り付け状態では右側面図）である。
【図６】この発明の一実施形態の浄水器のカートリッジの斜視図である。
【図７】この発明の一実施形態の浄水器のカートリッジの一部を拡大した斜視図である。
【図８】この発明の一実施形態の浄水器の図２のＡ−Ａ断面に対応する断面図である。
【図９】この発明の一実施形態の浄水器の図２のＢ−Ｂ断面に対応する断面図である。
【図１０】この発明の一実施形態の浄水器のカートリッジの取付状態を示す斜視図である。
【図１１】この発明の一実施形態の浄水器のカートリッジの取付状態を示す平面図である。
【発明を実施するための形態】
【００１５】
以下、この発明の一実施形態を図面に基づいて説明する。
図１は、この実施形態に係る浄水器１の全体構成を示すものである。同図に示すように、浄水器１は、水栓の蛇口２に取り付けられる蛇口接続部１１と、蛇口２から取入れた原水（水道水）の流路を切換える流路切換機構（図示せず）を有する浄水器本体１２と、内部に活性炭や中空糸膜等の濾材を収容し浄水器本体１２に着脱自在に接続される略筒状のカートリッジ１３と、を備えている。なお、同図中矢印Ｆは、水栓（蛇口２）の設置部の前方（使用者の位置する方向）を差すものとする。この実施形態の場合、カートリッジ１３は、浄水器本体１２の向かって左側に配置されている。
【００１６】
図２〜図４は、浄水器本体１２の単体を示すものである。これらの図に示すように、浄水器本体１２は、内部に流路切換機構を収容する略直方体状の本体ブロック１４の上面側に蛇口接続部１１が設けられるとともに、下面側に原水吐出部１５が設けられ、本体ブロック１４の向かって右側の端部には流路切換機構を操作するための回転式の操作レバー１６が設けられている。この実施形態の浄水器１の場合、流路切換機構は、蛇口接続部１１側の原水導入流路を、原水吐出部１５を通したストレート流路とシャワー流路と、カートリッジ１３を通した浄水流路のいずれかに選択的に切換える。本体ブロック１４の操作レバー１６の設置部と相反する側の端部（以下、単に「本体ブロック１４の端部」と呼ぶ。）には、カートリッジ１３を長手方向が水平になるように取付けるための機構が設けられている。
【００１７】
本体ブロック１４の端部には偏平な基面１７が設けられ、その基面１７には、流路切換機構が浄水モードに切換えられたときに、原水をカートリッジ１３側に導出させる導出口１８が設けられている。この導出口１８には、ゴム弾性部材から成る環状のパッキン１９が装着されている。
【００１８】
基面１７は横長の略長方形状に形成され、その基面１７の上下には、相互に平行な一対のガイド壁２０Ａ，２０Ｂが突設されている。これらのガイド壁２０Ａ，２０Ｂは、浄水器本体１２が蛇口２に取り付けられた状態で水平になるように設けられている。そして、両ガイド壁２０Ａ，２０Ｂの長手方向の一端側の領域（図２中の右側の領域）は、相互に向き合う面が偏平に形成され、後述するカートリッジ１３の係合ブロック２１の正面側からの挿入離脱を許容する挿入部２２とされている。一方、各ガイド壁２０Ａ，２０Ｂの長手方向の他端側（図２中左側）の領域には、前端側の縁部から内向きに（相互に対向する向きに）突出する係止爪２３が延設されている。なお、前述した導出口１８は、基面１７上の長手方向の他端側に偏倚した位置に設けられている。
【００１９】
また、基面１７の上下方向の略中央には、長手方向の一端側から導出口１８の近傍に至る断面略コ字状のガイド溝２４が設けられている。このガイド溝２４の導出口１８に近接する側の底面には貫通孔２５が設けられ、その貫通孔２５に係止ピン２６（係止突部）が進退自在に設けられている。この係止ピン２６は、図３，図９の断面図に示すように、先端部が半球状の曲面に形成され、その基端側がコイルスプリング２７（付勢手段）によって突出方向に付勢されている。
【００２０】
さらに、本体ブロック１４の端部には、基面１７と上下のガイド壁２０Ａ，２０Ｂの周域を環状に取り囲むようにカバー壁２８が延設されている。このカバー壁２８のうちの、鉛直方向に沿う一対の壁部の先端部には、カートリッジ１３の外周面に沿う円弧面２８ａが設けられている。そして、カバー壁２８の先端部は、浄水器本体１２（本体ブロック１４）にカートリッジ１３が取り付けられたときに、カートリッジ１３の外周面に近接して対峙するようになっている。カバー壁２８は、導出口１８と流入口３１の接続部の周域に埃や異物が入り込むの防止する密閉手段として機能するとともに、カートリッジ１３と浄水器本体１２との結合部を外部から覆い隠すことにより、浄水器１の外観品質と意匠性を高めている。
【００２１】
図５〜図７は、カートリッジ１３の単体を示し、図８，図９は、浄水器本体１２にカートリッジ１３が取り付けられた状態を示す。
これらの図に示すように、カートリッジ１３は、濾材を収容する略円筒状のケース２９の外周面に矩形板状の係合ブロック２１が突設され、その係合ブロック２１の前面に浄水器本体１２側の導出口１８とパッキン１９を介して圧接状態で接続される流入口３１が設けられている。この流入口３１は、浄水器本体１２の流路切換機構を介して導出口１８から吐出された原水をケース２９内の濾材に導入する。一方、ケース２９の長手方向の一端には下向きに開口する筒状の浄水吐出部３２が設けられている。この浄水吐出部３２は、ケース２９内の濾材を通過した浄水を外部に吐出する。また、係合ブロック２１の上下の面は略平行に形成され、これらの面が浄水器本体１２側のガイド壁２０Ａ，２０Ｂによって摺動自在に案内されるようになっている。なお、係合ブロック２１は、上下の面がガイド壁２０Ａ，２０Ｂに接触状態で係合されるときに、カートリッジ１３が軸方向を水平にして姿勢保持されるように設定されている。なお、図面において、矢印Ｓは、カートリッジ１３を浄水器本体１２に取り付けるときの、カートリッジ１３のスライド方向を指す。
【００２２】
また、図７に拡大して示すように、係合ブロック２１の前面のうちの流入口３１よりも浄水吐出部３２側の領域にはガイド突起３３が突設されている。このガイド突起３３は係合ブロック２１の上下方向の略中央に配置され、浄水器本体１２の基面１７上のガイド溝２４内に挿入し得るようになっている。そして、ガイド突起３３は、その前面の中央に、係止ピン２６の先端部が挿入係合可能な半球状の係合穴３４が設けられるとともに、流入口３１側の端部に、係合ブロック２１の前面一般面に向かって傾斜するテーパ面３５が設けられている。このテーパ面３５は、ガイド突起３３がガイド溝２４内に挿入され、その状態で係合ブロック２１がガイド壁２０Ａ，２０Ｂに案内されてスライド方向Ｓに移動したときに、係止ピン２６の先端部を徐々に押し下げるように機能する。なお、係止ピン２６は係合ブロック２１の移動がさらに進むと、コイルスプリング２７の付勢力によって係合穴３４内に嵌合され、それによってカートリッジ１３の水平方向の変位が規制される。この際、流入口３１と浄水器本体１２の導出口１８は、このとき相互の軸心が合致するように設定されている。
【００２３】
また、係合ブロック２１は、図７に示すように、係合ブロック２１の本体部がその本体部よりも幅の狭い脚部３６によってカートリッジ１３のケース２９に連結されている。これにより、係合ブロック２１の本体部の背面側（ケース２９側）には、ガイド壁２０Ａ，２０Ｂの係止爪２３が回り込んで当接する縁部が上下に確保されている。そして、係合ブロック２１のこの上下の縁部は、係合ブロック２１がスライド方向Ｓに所定量以上移動したときに係止爪２３によって係止され、それによって係合ブロック２１の正面方向への抜けが規制されるようになっている。
なお、脚部３６の一部３６ａは係合ブロック２１の下端まで張り出すように延設されている。この下端まで張り出した部分は、カートリッジ１３を過大な力で規定量以上にスライドさせようとしたときに、ガイド壁２０Ｂの係止爪２３と当接することにより、カートリッジ１３の装着方向のスライド変位を規制するストッパとして機能する。
【００２４】
つづいて、図１０，図１１を参照して、浄水器本体１２に対するカートリッジ１３の取り付けについて説明する。
カートリッジ１３を取り付けるに際しては、図１０（Ａ），図１１（Ａ）に示すように、最初に、カートリッジ１３の長手方向が水平になるようにして、カートリッジ１３の係合ブロック２１を、浄水器本体１２のガイド壁２０Ａ，２０Ｂの挿入部２２に対向させる。この状態から図１０（Ａ），図１１（Ａ）の矢印Ｉで示すようにカートリッジ１３を浄水器本体１２に正面から近づけ、係合ブロック２１をカバー壁２８の内側に挿入し、さらにガイド壁２０Ａ，２０Ｂの挿入部２２に挿入する。このとき、浄水器本体１２のカバー壁２８の先端部はカートリッジ１３の外周面に近接状態で対向する（図１０（Ｂ），図１１（Ｂ）参照）。
【００２５】
次に、この状態からカートリッジ１３を、図１０（Ｂ），図１１（Ｂ）の矢印Ｓで示すように水平方向にスライド変位させる。このとき、カートリッジ１３の係合ブロック２１が浄水器本体１２側のガイド壁２０Ａ，２０Ｂによって案内され、また、係合ブロック２１のガイド突起３３が浄水器本体１２側のガイド溝２４内を摺動する。こうして、係合ブロック２１がガイド壁２０Ａ，２０Ｂの他端方向に向かって移動すると、係合ブロック２１の上下の縁部が係止爪２３に次第に係合され、それとともにガイド突起３３のテーパ面３５が係止ピン２６を次第に押し込むようになる。
【００２６】
こうして、カートリッジ１３が所定位置までスライド操作されると、係止ピン２６がガイド突起３３上の係合穴３４に嵌合するとともに、カートリッジ１３の流入口３１と浄水器本体１２の導出口１８とが位置的に合致し、相互に接続状態とされる。このとき、カートリッジ１３は、係合ブロック２１が係止爪２３によって正面方向の抜けが規制されると同時に、係止ピン２６と係合穴３４の嵌合によって水平方向の変位が規制され、その結果、浄水器本体１２に対してロック状態とされる（図１０（Ｃ），図１１（Ｃ）参照）。
【００２７】
また、カートリッジ１３を浄水器本体１２から取り外す場合には、上述の操作とは逆に、最初にカートリッジ１３を矢印Ｓと逆向きに所定量スライドさせ、その後に矢印Ｉと逆向きにカートリッジ１３を引っ張り、浄水器本体１２から離脱させる。
【００２８】
以上説明したように、この浄水器１においては、カートリッジ１３の係合ブロック２１を浄水器本体１２のカバー壁２８内に挿入し、その状態でカートリッジ１３をスライドさせるいう簡易な接続機構のため、成形が容易であるとともに、浄水器本体１２とカートリッジ１３との接続に要する構成部品が少ない。したがって、この浄水器１においては、製造コストの低減を図ることができる。
【００２９】
また、この浄水器１においては、浄水器本体１２に対してカートリッジ１３を水平方向にスライドさせるという容易な操作で、浄水器本体１２とカートリッジ１３とを着脱できるため、カートリッジ１３の交換に手間取ることがなく、カートリッジ交換を容易かつ確実に行うことができる。
【００３０】
さらに、この浄水器１は、カートリッジ１３の長手方向が水平になるように、浄水器本体１２とカートリッジ１３が一体に結合されるため、カートリッジ１３を鉛直に配置した従来の浄水器に比べて、視覚的な圧迫感を低減できるとともに、水栓周りでの作業を妨げにくい。
【００３１】
また、この浄水器１においては、カートリッジ１３と浄水器本体１２の接続部（係合ブロック２１、ガイド壁２０Ａ，２０Ｂ、係止爪２３、係止ピン２６、係合穴３４等）の周域が、浄水器本体１２に延設された環状のカバー壁２８によって覆われるため、カートリッジ１３側と浄水器本体１２側からそれぞれカバー片を延出させ、両者のカバー片によって最終的に接続部の周囲を覆う場合と異なり、係合ブロック２１のサイズや形状を共通にしさえすれば、一つの浄水器本体１２をケース２９のサイズや仕様の異なるカートリッジ１３に容易に適合させることができる。
【００３２】
また、この浄水器１においては、浄水器本体１２に水平方向に延出する平行な一対のガイド壁２０Ａ，２０Ｂが設けられ、カートリッジ１３側の係合ブロック２１の上下の面がこのガイド壁２０Ａ，２０Ｂによって摺動自在に案内されるため、浄水器本体１２に対するカートリッジ１３の脱着のためのスライド操作を容易、かつ確実なものとすることができる。
【００３３】
さらに、この浄水器１の場合、カートリッジ１３の係合ブロック２１と浄水器本体１２側のガイド溝２４の底部には、浄水器本体１２の導出口１８とカートリッジ１３の流入口３１とが合致する位置で、相互に係合される係止ピン２６と係合穴３４が設けられているため、カートリッジ１３の装着時に、カートリッジ１３を浄水器本体１２に対して所定量スライド操作したときに、係止ピン２６と係合穴３４との係合によってカートリッジ１３のスライド方向の移動を規制することができるとともに、カバー壁２８の内側で係止ブロック２１が本体ブロック１４に確実に固定されたことを節度感をもって作業者に知らせることができる。
【００３４】
また、この浄水器１では、係合ブロック２１にガイド突起３３が設けられ、このガイド突起３３の前面に係合穴３４が設けられるとともに、このガイド突起３３の端部に、カートリッジ１３の装着時に係合ブロック２１がスライド操作されるときに、係止ピン２６をコイルスプリング２７の力に抗して徐々に押し下げるテーパ面３５が設けられているため、係合ブロック２１のスライド操作のみによって係止ピン２６をスムーズに押し下げることができるとともに、係止ピン２６の先端部が係合穴３４の位置と合致したときに、係止ピン２６の先端部を勢い良く係合穴３４の内面に当接させ、装着操作時に十分な節度感を持たせることができる。
なお、この実施形態の場合、カートリッジ１３の取付時には、係止ピン２６がガイド突起３３のテーパ面３５によって押し下げられる前に、係止爪２３による係合ブロック２１の正面方向の抜け規制が開始されるようになっている。このため、作業者はコイルスプリング２７の力に抗してカートリッジ１３を正面から押し込む必要がなく、単にスライド方向に力を加えるだけで良い。
【００３５】
また、この実施形態では、カートリッジ１３のケース２９と係合ブロック２１を連結する脚部３６の一部３６ａが係合ブロック２１の下端まで延設され、その延設された脚部３６の一部３６ａがガイド壁２０Ｂの係止爪２３と当接してスライド方向のストッパとして機能するようになっているため、カートリッジ１３の必要以上のスライド変位をこのストッパ機能によって確実に防止することができる。特に、この場合、係止爪２３の端部を規制部として利用しているため、構造の簡素化とそれによる製造の容易化を図ることができる。
【００３６】
なお、この発明は上記の実施形態に限定されるものではなく、その要旨を逸脱しない範囲で種々の設計変更が可能である。
【符号の説明】
【００３７】
１…浄水器
２…蛇口
１１…蛇口接続部
１２…浄水器本体
１３…カートリッジ
１８…導出口
２０Ａ，２０Ｂ…ガイド壁
２１…係合ブロック
２２…挿入部
２３…係止爪
２６…係止ピン（係止突部）
２７…コイルスプリング（付勢手段）
２８…カバー壁
２９…ケース
３１…流入口
３４…係合穴
３５…テーパ面
【図１】
2011115673.tif 000003
【図２】
2011115673.tif 000004
【図３】
2011115673.tif 000005
【図４】
2011115673.tif 000006
【図５】
2011115673.tif 000007
【図６】
2011115673.tif 000008
【図７】
2011115673.tif 000009
【図８】
2011115673.tif 000010
【図９】
2011115673.tif 000011
【図１０】
2011115673.tif 000012
【図１１】
2011115673.tif 000013